(57)【要約】      （修正有）【課題】比較的簡潔な構成でありながら、尻尾による誤動作を防止することができ、コンベアによって搬送されつつある動物を堅実に検知することのできる動物用運動装置を提供する。【解決手段】コンベアベルトを駆動させて相対的に略静止した位置関係で動物Ｂに歩行運動を行わせる歩行運動部３０と、前記動物Ｂの歩行不足により前記コンベアベルト上で搬送されつつある動物Ｂを検知する検知機構と、同検知機構により搬送されつつある動物が検知された場合、コンベアベルトの動きを停止させる制御部とを備え、前記検知機構は、コンベアベルトの横断方向に架け渡された横断軸と、前記搬送されつつある動物との接触により前記横断軸を中心に傾斜する検知板と、同検知板が傾斜したことを検出する傾斜状態検出手段と、を有するとと共に、前記検知板の前方に可撓性を有するシート状の圧力拡散体を張設した。【選択図】図１
2020195350.tif 000002
【特許請求の範囲】
【請求項１】
搬送方向と逆行する向きに載置された動物の歩行と同調する相殺搬送速度でコンベアベルトを駆動させて相対的に略静止した位置関係で前記動物に歩行運動を行わせる歩行運動部と、
前記動物の歩行不足により前記コンベアベルト上で搬送されつつある動物を検知する、前記コンベアベルトの搬送下流側端部に配置された検知機構と、
同検知機構により搬送されつつある動物が検知された場合、コンベアベルトの動きを停止させる制御部とを備え、
前記検知機構は、
前記動物の体高よりも高い位置でコンベアベルトの横断方向に架け渡された横断軸と、
前記搬送されつつある動物との接触により前記横断軸を中心に傾斜するよう揺動可能に垂設した検知板と、
同検知板が傾斜したことを検出する傾斜状態検出手段と、を有するとと共に、
前記検知板の前記搬送されつつある動物より圧力を受ける側の面の前方には、同受圧面の略全面に対向させて張設した可撓性を有するシート状の圧力拡散体が配されていることを特徴とする動物用運動装置。
【請求項２】
前記検知板は、前記横断軸より垂下させる垂直板部と、横断軸より略水平方向へ伸延させる水平板部とにより側面視略Ｌ字状に形成すると共に、前記水平板部の伸延方向端面に検知片を配設して構成する一方、
前記傾斜検出手段は、前記横断軸を中心とする前記検知板の揺動によって移動した前記検知片との相互作用の変化により前記検知板が傾斜したことを検出することを特徴とする請求項１に記載の動物用運動装置。
【発明の詳細な説明】
【技術分野】
【０００１】
本発明は、動物用運動装置に関する。
【背景技術】
【０００２】
従来、動物病院やペットショップ等では一時的に、また、一般家庭においては家族の一員として動物の飼育が行われており、動物と良好な関係を保つためには、動物の健康維持に努めることが重要である。
【０００３】
例えば、愛玩動物として広く飼育されている犬の場合、このような健康維持のための手段の一つとして散歩が挙げられる。
【０００４】
日々の散歩は肥満予防や食欲増進に有効であるのは勿論のこと、ストレスの解消など精神的な側面においても極めて重要である。
【０００５】
中型程度の犬であれば、町中や広場など、飼主が犬を同伴しつつのべ数百メートルの距離を歩き回るのが一般的である。
【０００６】
しかしながら、飼い主の視点からすると、所用や天候等の理由もあって、時には同伴しての散歩が困難な場合がある。
【０００７】
そこで、一般家庭や動物病院、飼育施設など比較的狭い屋内においても動物に運動を行わせることができるよう、回動する無端状のコンベアベルト上で動物を歩かせたり走らせたりする運動（以下、総称して歩行運動という。）をさせる装置、所謂動物用のランニングマシンの如き装置が提案されている（例えば、特許文献１及び特許文献２参照。）。
【先行技術文献】
【特許文献】
【０００８】
【特許文献１】特開２００１−０１７０１７号公報
【特許文献２】特開２０１７−００６００６号公報
【発明の概要】
【発明が解決しようとする課題】
【０００９】
ところで、上述のような動物用運動装置を使用して動物に運動をさせている場合、動物の体力や健康状態等により動物の歩行速度が予期せず低下して、搬送方向（順方向）とは逆の方向（逆走方向ともいう）への歩行の均衡が失われてしまうことがある。以下、動物の歩行速度が低下してコンベアベルトの搬送速度との均衡が崩れた状態を歩行不足状態ともいう。
【００１０】
この場合、多くの動物用運動装置には緊急停止ボタンが供えられており、使用者がこれを操作することで、歩行不足状態となりコンベアベルトに搬送された動物が動物用運動装置の後壁などに衝突してしまうことを回避することができる。
【００１１】
しかし、動物用運動装置は、前述の如くペットを運動させるために費やされる飼主などの労力の削減が本来の目的でもあることから、使用者が一時的に動物から目を離している状況も想定されるため、このような場合には緊急停止ボタンにより動物を保護するのは困難である。
【００１２】
勿論、歩行不足状態となった動物を検知してコンベアを自動的に停止するような機構を構築すれば、使用者が動物から目を離していても動物を保護することは可能であると思われる。
【００１３】
しかしながら、動物の尻尾は歩行中に大きく動くことがあり、これによる誤作動を防止するためには、画像処理による方法や複数箇所に検知機構を配置する方法など、比較的複雑な機構が要求されるという問題があった。
【００１４】
本発明は、斯かる事情に鑑みてなされたものであって、比較的簡潔な構成でありながら、尻尾による誤動作を防止することができ、コンベアによって搬送されつつある動物を堅実に検知することのできる動物用運動装置を提供する。
【課題を解決するための手段】
【００１５】
上記従来の課題を解決するために、本発明に係る動物用運動装置では、搬送方向と逆行する向きに載置された動物の歩行と同調する相殺搬送速度でコンベアベルトを駆動させて相対的に略静止した位置関係で前記動物に歩行運動を行わせる歩行運動部と、前記動物の歩行不足により前記コンベアベルト上で搬送されつつある動物を検知する、前記コンベアベルトの搬送下流側端部に配置された検知機構と、同検知機構により搬送されつつある動物が検知された場合、コンベアベルトの動きを停止させる制御部とを備え、前記検知機構は、前記動物の体高よりも高い位置でコンベアベルトの横断方向に架け渡された横断軸と、前記搬送されつつある動物との接触により前記横断軸を中心に傾斜するよう揺動可能に垂設した検知板と、同検知板が傾斜したことを検出する傾斜状態検出手段と、を有するとと共に、前記検知板の前記搬送されつつある動物より圧力を受ける側の面の前方には、同受圧面の略全面に対向させて張設した可撓性を有するシート状の圧力拡散体が配されていることとした。
【００１６】
また、前記検知板は、前記横断軸より垂下させる垂直板部と、横断軸より略水平方向へ伸延させる水平板部とにより側面視略Ｌ字状に形成すると共に、前記水平板部の伸延方向端面に検知片を配設して構成する一方、前記傾斜検出手段は、前記横断軸を中心とする前記検知板の揺動によって移動した前記検知片との相互作用の変化により前記検知板が傾斜したことを検出することにも特徴を有する。
【発明の効果】
【００１７】
本発明に係る動物用運動装置によれば、搬送方向と逆行する向きに載置された動物の歩行と同調する相殺搬送速度でコンベアベルトを駆動させて相対的に略静止した位置関係で前記動物に歩行運動を行わせる歩行運動部と、前記動物の歩行不足により前記コンベアベルト上で搬送されつつある動物を検知する、前記コンベアベルトの搬送下流側端部に配置された検知機構と、同検知機構により搬送されつつある動物が検知された場合、コンベアベルトの動きを停止させる制御部とを備え、前記検知機構は、前記動物の体高よりも高い位置でコンベアベルトの横断方向に架け渡された横断軸と、前記搬送されつつある動物との接触により前記横断軸を中心に傾斜するよう揺動可能に垂設した検知板と、同検知板が傾斜したことを検出する傾斜状態検出手段と、を有するとと共に、前記検知板の前記搬送されつつある動物より圧力を受ける側の面の前方には、同受圧面の略全面に対向させて張設した可撓性を有するシート状の圧力拡散体が配されていることとしたため、比較的簡潔な構成でありながら、尻尾による誤動作を防止することができ、コンベアによって搬送されつつある動物を堅実に検知することのできる動物用運動装置を提供することができる。
【００１８】
また、前記検知板は、前記横断軸より垂下させる垂直板部と、横断軸より略水平方向へ伸延させる水平板部とにより側面視略Ｌ字状に形成すると共に、前記水平板部の伸延方向端面に検知片を配設して構成する一方、前記傾斜検出手段は、前記横断軸を中心とする前記検知板の揺動によって移動した前記検知片との相互作用の変化により前記検知板が傾斜したことを検出することとすれば、コンベアによって搬送されつつある動物を、より堅実に検知することができる。
【図面の簡単な説明】
【００１９】
【図１】本実施形態に係る動物用運動装置の構成を示した説明図である。
【図２】本実施形態に係る動物用運動装置の水回り構成を示した説明図である。
【図３】本実施形態に係る動物用運動装置の構成を示した説明図である。
【図４】歩行運動部及び検知機構の構成を示した説明図である。
【図５】検知機構の構成を示した説明図である。
【図６】センサ機構部の構成を示した説明図である。
【図７】センサ機構部の構成を示した説明図である。
【図８】本実施形態に係る動物用運動装置の電気的構成を示したブロック図である。
【図９】制御部にて実行される処理を示したフローである。
【図１０】動物用運動装置の使用時における検知機構の働きについて示した説明図である。
【図１１】動物用運動装置の使用時における検知機構の働きについて示した説明図である。
【発明を実施するための形態】
【００２０】
本発明は動物用運動装置に関するものであり、特に、搬送方向と逆行する向きに載置された動物の歩行と同調する相殺搬送速度でコンベアベルトを駆動させて相対的に略静止した位置関係で前記動物に歩行運動を行わせる歩行運動部と、前記動物の歩行不足により前記コンベアベルト上で搬送されつつある動物を検知する、前記コンベアベルトの搬送下流側端部に配置された検知機構と、同検知機構により搬送されつつある動物が検知された場合、コンベアベルトの動きを停止させる制御部とを備え、比較的簡潔な構成でありながら、コンベアによって搬送されつつある動物を堅実に検知することのできる動物用運動装置を提供するものである。
【００２１】
特に、本実施形態に係る動物用運動装置では、前記検知機構は、前記動物の体高よりも高い位置でコンベアベルトの横断方向に架け渡された横断軸と、前記搬送されつつある動物との接触により前記横断軸を中心に傾斜するよう揺動可能に垂設した検知板と、同検知板が傾斜したことを検出する傾斜状態検出手段と、を有するとと共に、前記検知板の前記搬送されつつある動物より圧力を受ける側の面の前方には、同受圧面の略全面に対向させて張設した可撓性を有するシート状の圧力拡散体が配されている点で特徴的である。
【００２２】
そして、このような構成とすることにより、歩行運動中の動物の尻尾により、順調に運動しているにも拘わらずコンベアが停止してしまうという誤動作を防止することができ、動物に対して効率的な運動を促すことができる。
【００２３】
以下、本実施形態に係る動物用運動装置について、図面を参照しながら説明する。
【００２４】
図１は、本実施形態に係る動物用運動装置Ａの構成を示した説明図である。動物用運動装置Ａは図１に示すように、デフォルメされた小型乗用車の如き外観意匠が施された上部開放箱型の筐体部１０を備えている。なお、動物用運動装置Ａの構成を説明するにあたり、以下では説明の便宜上、紙面左下方向を動物用運動装置Ａの前方と称し、右上方向を後方、左上方向を左方、右下方向を右方と称する。
【００２５】
図３は、動物用運動装置Ａの構成の一部を省略しつつ、内部構成の一部を取り外して示した説明図である。図３に示すように同筐体部１０の内方には、ステンレス製の前壁１１Ｆ、後壁１１Ｂ、左側壁１１Ｌ（図３にて図示省略）、右側壁１１Ｒ、底壁１１Ｓにより水密状に囲われる上方開放とした水槽状の動物収容空間１１が形成されており、図１に示すように同動物収容空間１１には動物Ｂが収容される。
【００２６】
また、図３に示すように、筐体部１０の内方であって動物収容空間１１の前方には前方配置空間５５が形成されている。この前方配置空間５５には必要に応じて種々の装置等を収容することが可能であるが、本実施形態に係る動物用運動装置Ａでは制御部５６を収容しており、筐体部１０の前面には制御部５６と電気的に接続されたユーザインターフェイス部（以下、ＵＩ部５７ともいう。）を配して使用者等によりＵＩ部５７を介して入力された情報を制御部５６へ供給したり、制御部５６からの出力をＵＩ部５７に表示するよう構成している。
【００２７】
具体的には、ＵＩ部５７には、タッチパネル５８と、起動ボタン５９と、緊急停止ボタン６０とが配設されている。
【００２８】
タッチパネル５８は、使用者が動物用運動装置Ａに対しデータや命令、特に後述する歩行運動部３０の駆動速度や時間を規定するタイムスケジュールの入力を行う手段として機能すると共に、制御部５６から出力された情報を使用者に対し表示するための表示手段としての役割を有する部材である。
【００２９】
起動ボタン５９は、動物用運動装置Ａを駆動させる際に使用者が押下するためのボタンである。制御部５６は動物用運動装置Ａに電力が供給された状態で同起動ボタン５９が押下されると、使用者が予め入力したタイムスケジュールに従って歩行運動部３０が駆動し動物Ｂに運動が促される。
【００３０】
緊急停止ボタン６０は、動物用運動装置Ａが稼動している際、特に歩行運動部３０が稼動している際に、使用者により強制的に歩行運動部３０の稼動を停止させるためのボタンである。
【００３１】
一方、筐体部１０の内方であって動物収容空間１１の後方には、後方配置空間６２が形成されている。この後方配置空間６２もまた種々の装置等を格納するスペースとして使用可能であるが、本実施形態に係る動物用運動装置Ａでは歩行運動部３０を駆動させる動力部４１を構成する電動モータ６３を配設している。
【００３２】
この電動モータ６３は、図示しない接続ケーブル等により前方配置空間５５内に収容されている制御部５６と電気的に接続されており、別途商用電源等から供給される電力を利用して、制御部５６の制御により所定の速さで駆動する。
【００３３】
また電動モータ６３の駆動軸に装着された駆動プーリ６３ａは、筐体部１０の内方であって図３にて図示を省略している左側壁１１Ｌの外方であり、且つ、動物収容空間１１内に配置した後述する歩行運動部３０の動力受部３６ａと左側壁１１Ｌを挟んで対向する位置に配された動力伝達部４１ａに、伝動ベルト６４を介して連動連結させており、全体として動力部４１が構築されている。
【００３４】
本実施形態に係る動物用運動装置Ａは、動物Ｂの洗浄の場を提供する浴室機能や、動物Ｂに対して歩行運動を促す歩行運動促進機能を備えており、各種構成によりこれらの機能を実現させている。
【００３５】
図２は、動物用運動装置Ａの水回り構成を示した説明図である。図２に示すように例えば浴室機能を実現するための主な構成としては、浴室として機能する先述の動物収容空間１１や、同筐体部１０の底部や前後部に配されたバルブや配管等によって構成される給湯系設備１２が挙げられる。
【００３６】
筐体部１０の動物収容空間１１は、開放された上部を除いて前後左右の壁面と底面とにステンレスの内張がなされており、動物収容空間１１の内部を水密状に構成することで動物用運動装置Ａの外への漏水を防止している。
【００３７】
それ故、動物収容空間１１の内部では、シャンプーなどで泡立てながら動物Ｂを洗浄したり、後述のシャワーにより洗い流す作業や、湯水を溜めて（湯張りして）温浴や冷水浴させる作業が可能となり、あたかも浴槽や浴室の如く機能させることができる。
【００３８】
給湯系設備１２は、湯水供給口１４と、湯水供給管１５と、給湯バルブ１６と、分岐管１７と、シャワー設備１８と、湯張りバルブ１９と、湯張り給湯管２０とを備えている。
【００３９】
湯水供給口１４は、動物用運動装置Ａが設置される動物病院や一般家庭などに設置されている給湯（給水）装置より湯水を受け入れるための接続口である。湯水供給口１４は、例えば給湯装置の給湯栓２１に給湯ホース２２を介して接続される。なお本実施形態では、動物用運動装置Ａにて使用する湯を外部より導入することとしたがこれに限定されるものではなく、動物用運動装置Ａに給湯設備を配設し、導入した水を温めて給湯するよう構成しても良い。
【００４０】
湯水供給管１５は湯水供給口１４より受け入れた湯水を給湯バルブ１６へ供給するための配管である。
【００４１】
給湯バルブ１６は、湯水供給管１５を介して供給された湯水の、シャワー設備１８と湯張りとの両方の元バルブとしての役割を有するバルブである。
【００４２】
分岐管１７は給湯バルブ１６を介して供給された湯水をシャワー設備１８と湯張りとの双方に分配するための配管である。具体的には、主管１７ａと、同主管１７ａより二叉状に分岐する枝管１７ｂ,１７ｃにより構成しており、給湯バルブ１６を介し分岐管１７へ至った湯水は、主管１７ａから枝管１７ｂ,１７ｃへそれぞれ分配される。１７ｂはシャワー設備１８に接続されており、１７ｃは湯張りバルブ１９に接続されている。
【００４３】
シャワー設備１８は、シャワーバルブ２３と、シャワーホース２４と、シャワーヘッド２５とで構成している。
【００４４】
シャワーバルブ２３は、枝管１７ｂを介して供給された湯水のシャワーヘッド２５からの出水や停止、及び出水量の調整を行うためのバルブである。また、シャワーホース２４は、シャワーバルブ２３により調整等された湯水をシャワーヘッド２５へ導くための可撓性を有する管であり、シャワーヘッド２５に至った湯水は散水板２５ａを介して散水されることとなる。
【００４５】
湯張りバルブ１９は、動物収容空間１１を湯船の如く使用する際に供給する湯水の出水や停止、及び出水量の調整を行うためのバルブである。湯張りバルブ１９より供給された湯水は、給湯管２０を通じ、動物収容空間１１の前壁に設けた給湯口２６より動物収容空間１１内に貯留される。なお本実施形態において給湯口２６は、歩行運動部３０のコンベアベルト３３の上面よりも低い位置に形成している。これは給水時の湯水の音で動物Ｂを驚かすことのないようにするための構成である。
【００４６】
また、動物収容空間１１の底部には排水口２７が形成されている。排水口２７は排水バルブ２８に接続されており、排水バルブ２８を閉状態とすればシャワー設備１８や給湯口２６より供給された湯水は動物収容空間１１内に貯留され、開状態とすれば排出されて図示しない排水ホース等を介して下水等として処理されることとなる。なお、図２において符号２９は、動物収容空間１１内に湯水を貯留した際の溢水を防止するためのオーバーフロー口２９である。
【００４７】
次に、動物Ｂに対して歩行運動を促す歩行運動促進機能を実現するための構成について説明する。図３は、動物用運動装置Ａの左側壁を除き、構成の一部を分離させた状態を示した説明図である。
【００４８】
図３に示すように、歩行運動促進機能を実現するための主な構成としては、動物収容空間１１の内部に収容された歩行運動部３０と検知部３１とが挙げられる。
【００４９】
歩行運動部３０は、基台部３２と、コンベアベルト３３とで構成している。
【００５０】
基台部３２は、歩行運動部３０の支持基板としての役割を有する部位であり、前後方向へ伸延する左右フレーム３４Ｌ,３４Ｒと、左右フレーム３４Ｌ,３４Ｒの前端部間にて左右方向へ軸線を向けて架け渡たされた従動軸３５と、左右フレーム３４Ｌ,３４Ｒの後端部間にて左右方向へ軸線を向けた状態で架け渡された駆動軸３６と、これら左右フレーム３４Ｌ,３４Ｒと従動軸３５と駆動軸３６とで囲われた矩形内部に配された支持板３７とで構成している。
【００５１】
左右フレーム３４Ｌ,３４Ｒは、歩行運動部３０の構造骨格の主体を成す部材として機能する。左右フレーム３４Ｌ,３４Ｒの側面には係合突起３８が形成されており、歩行運動部３０を動物収容空間１１内に配置するに際し、同係合突起３８を動物収容空間１１の内壁に形成された係合部３９に係合させて配置することで、動物収容空間１１内での位置決めを容易とし、後述する電動モータ６３の駆動力を効率的に歩行運動部３０へ伝達することができる。
【００５２】
また左右フレーム３４Ｌ,３４Ｒの上面には取手４０が形成されており、歩行運動部３０を動物収容空間１１内へ配置する際の取扱性を向上させている。
【００５３】
従動軸３５は、基台部３２に前端部に配された軸であり、後述の駆動軸３６と対を成し、共にコンベアベルト３３を回転させるための軸として機能するものである。
【００５４】
駆動軸３６は、基台部３２の後端部に配された軸であり、従動軸３５と共にコンベアベルト３３を回転させるための軸として機能する。
【００５５】
また駆動軸３６の一側端（本実施形態では左端）には、動物用運動装置Ａに備えられた動力部４１からの動力を受けるための動力受部３６ａが配されている。この動力受部３６ａは、動力部４１側に配された動力伝達部４１ａと共に非接触式磁気継手（マグネットカップリング）を構成しており、動物収容空間１１の水密性を堅実に保ちつつ、側壁（左側壁）を介した動力の授受を実現している。
【００５６】
支持板３７は、左右フレーム３４Ｌ,３４Ｒや従動軸３５、駆動軸３６により形成される枠内に配された板状の部材であり、歩行運動部３０に配される動物Ｂの体重を支えてコンベアベルト３３が撓むのを抑制し、動物Ｂによる円滑な歩行を可能とするための部材である。
【００５７】
一方、コンベアベルト３３は基台部３２の従動軸３５と駆動軸３６とに前後方向へ無端状に掛け回された可撓性を有するベルトであり、基台部３２と協動して動物Ｂの歩行と同調する相殺搬送速度、具体的には黒矢印で示す方向へ駆動し、相対的に略静止した位置関係で前記動物に歩行運動を行わせる。また、動物Ｂが歩行不足状態となった際には、動物Ｂはコンベアベルト３３により動物収容空間１１内の後方へ搬送される。
【００５８】
検知部３１は、制御部との協動により構築される歩行不足状態に係る安全装置のセンサとして機能する部位であり、図３や図４に示すように、歩行運動部３０の後方上部に配置される。なお、この検知部３１は、後述の検知片検出センサ４８や制御部５６等により構築される傾斜状態検出手段と共に検知機構を構成する。
【００５９】
検知部３１は、図３や図５に示す如く係止機構部４２とセンサ機構部４３とで構成しており、図３に示すように係止機構部４２の係止片４２ａを動物収容空間１１の後方上部の左右側壁に形成した係止ポケット４４へ挿入しつつ係止させることにより、センサ機構部４３が歩行運動部３０から上方に離隔した状態で配置されるよう構成している。
【００６０】
一方、係止機構部４２は、図５や図６に示すように、横断軸４５と、検知板４６と、圧力拡散機構４７とで構成している。なお図６は、検知部３１のうちセンサ機構部４３のみを示しており、後方左斜め下から前方右斜め上方向を臨んだ状態を示している。
【００６１】
横断軸４５は、検知板４６を動物収容空間１１内で前後方向へ揺動可能に垂下させるための左右方向へ伸延させた軸であり、図５に示すようにその両端は係止機構部４２の内部に露出させ、端部に円盤状の抜止め部材４５ａを装着して検知部３１より横断軸４５が脱落するのを防止している。また横断軸４５の横架高さは、動物収容空間１１内に収容され歩行運動部３０上に載置された際の動物Ｂの体高よりも高い位置としている。
【００６２】
検知板４６は、図６及び図７に示すように、金属製の板材を折曲して形成した側面視略Ｌ字状の部材であり、横断軸４５に挿通させた状態で略垂直に垂下する垂直板部４６ａと、略水平方向へ伸延する水平板部４６ｂとを備えている。
【００６３】
垂直板部４６ａは、歩行不足に陥って歩行運動部３０により動物収容空間１１の内部にて後方へ搬送されつつある動物Ｂと接触、より具体的には後述の圧力拡散機構４７を介して間接的に接触させるための部位である。
【００６４】
また、垂直板部４６ａの上端部分、換言すると次に述べる水平板部４６ｂの前方側基端部に相当する部分には、横断軸４５と略同径の横断軸挿通孔４６ｃが穿設されており、検知板４６の垂直板部４６ａ部分を横断軸４５より垂下させることができるよう構成している。
【００６５】
水平板部４６ｂは、垂直板部４６ａの上端より後方へ向けて略直角に伸延させつつ形成した部位であり、その後方先端部には金属板状の検知片４６ｄが配設されている。この検知片４６ｄは、図３や図７に示すように筐体部１０の後方空間内に配設された検知片検出センサ４８により後壁１１Ｂを介した検知対象となる部材である。なお図３では、設置位置の理解に供すべく、後壁１１Ｂの一部を切り欠いて検知片検出センサ４８を示している。
【００６６】
すなわち、動物用運動装置Ａの使用中であって動物Ｂが歩行不足状態ではない場合、Ｌ字状の検知板４６の垂直板部４６ａは実線で示すように垂下状態であり、水平板部４６ｂもまた実線の如く略水平状態となっている。
【００６７】
このとき、水平板部４６ｂの検知片４６ｄは、検知片検出センサ４８に対し後壁１１Ｂを介して正対する位置に存在しており、検知片検出センサ４８は検知片４６ｄを検知している状態となる。
【００６８】
ここで、動物Ｂが歩行不足状態となって歩行運動部３０により搬送されはじめると、動物Ｂの体が垂直板部４６ａに接触して実線で示す垂下状態から破線で示す斜め後方への傾斜状態となり、横断軸４５を中心に検知板４６の全体が回動することで水平板部４６ｂが破線でしめす後方登りの傾斜状態へと変位する。
【００６９】
すると、水平板部４６ｂの後端面に取り付けた検知片４６ｄは、検知片検出センサ４８の正面対向位置から破線で示すように上方へ偏倚した位置へと移動するため、検知片検出センサ４８での検出状態に変化が生じ、検知板４６（垂直板部４６ａ）が傾いたこと、すなわち、動物収容空間１１内において動物Ｂが歩行不足状態に陥っていることが検知できるよう構成している。なお、本実施形態において検知片検出センサ４８は金属検知センサを採用しているが、例えば磁気検知センサなど、後壁１１Ｂの材質や感度など所望する仕様に応じて検知片４６ｄと検知片検出センサ４８との組合せを適宜決定することができる。
【００７０】
圧力拡散機構４７は、動物Ｂが検知板４６へ当接する際の圧力を拡散させるための機構であり、例えば、歩行不足状態には至っていない動物Ｂとしての犬が歩行している際に偶然に尻尾が検知板４６に当接することで歩行運動部３０が停止してしまうことを防止する一方、歩行不足状態となった際には堅実に歩行運動部３０の停止が行われるような動作を実現するための機構と言える。
【００７１】
具体的な構成について説明すると、圧力拡散機構４７は、取付基部片５０,５０と、フレーム体５１と、メッシュシート５２とを備えている。
【００７２】
取付基部片５０は、圧力拡散機構４７を横断軸４５に取り付けるべくフレーム体５１の両基端部に装着される部材である。
【００７３】
取付基部片５０には対向する両側面部に軸挿通孔５０ａがそれぞれ形成されており、取付基部片５０に横断軸４５を貫通させることができるよう構成されている。取付基部片５０の横断軸４５への取付けは、検知板４６を挿通させた横断軸４５の両側に、取付基部片５０の軸挿通孔５０ａに横断軸４５を貫通させることで行われる。
【００７４】
また、取付基部片５０の下面にはフレーム端部挿入孔５０ｂが形成されている。このフレーム端部挿入孔５０ｂは、金属製の棒材を折曲させて形成したフレーム体５１の基端部を挿入させるための孔であり、取付基部片５０内に露出させたフレーム体５１の基端部は図示しない抜け止め部材が装着されることにより取付基部片５０より垂下した状態、付言すれば横断軸４５よりフレーム体５１が垂下した状態に取付けられる。なお、取付基部片５０は軸挿通孔５０ａを介して横断軸４５を挿通させており、特に固定手段を設けなければ取付基部片５０は横断軸４５に対して回動可能、フレーム体５１は横断軸４５を中心に揺動自在となるが、必ずしもこのような構成とする必要はなく、横断軸４５の軸回り方向への取付基部片５０の動きを規制するよう構成しても良い。
【００７５】
フレーム体５１は、金属製の棒材を正面視にて略Ｕ字型に成形し、この下部を後方へ向けて側面視Ｌ字状に折曲させて形成したものであり、構造的には垂下部５１ａと水平部５１ｂと支持当接部５１ｃとで構成している。
【００７６】
図６に示すように垂下部５１ａ,５１ａは、検知部３１を構築した際にフレーム体５１の左右両側にて上下方向へ伸延する部位であり、フレーム体５１の基端部に相当する上端部分は先述の如くフレーム端部挿入孔５０ｂを介して取付基部片５０の内部に露出させた状態で固定される。
【００７７】
また垂下部５１ａ,５１ａは、メッシュシート５２の取付枠としての機能も有しており、その長さは検知板４６の垂直板部４６ａの上下方向への長さと略同じ長さか更に長い長さとして垂直板部４６ａの略全面を覆うメッシュシート５２の左右両端辺部分を取付けて支持可能となるようにしている。
【００７８】
水平部５１ｂ,５１ｂは、図７に示すように、左右の垂下部５１ａの下部から後方へ略水平に伸延する部位であり、垂直板部４６ａの前面（動物Ｂより圧力を受ける側の面）よりも僅かに（接触していても良いが、例えば1〜15ｍｍ程度）前方にメッシュシート５２を配置できる位置に配される垂下部５１ａと後壁１１Ｂに当接させる支持当接部５１ｃとの間隔を保つための支持部材として機能する。
【００７９】
支持当接部５１ｃは、図４や図７に示すように、後壁１１Ｂと当接させてフレーム体５１の後方への揺動を規制するための部位である。また支持当接部５１ｃは、垂下部５１ａ,５１ａ同士の左右幅の間隔を規定するものでもあり、その長さは検知板４６、特に垂直板部４６ａの左右幅よりも長くして、検知板４６が後方へ揺動した際に垂直板部４６ａがフレーム体５１の水平部５１ｂや支持当接部５１ｃと干渉することがないようにしている。
【００８０】
メッシュシート５２は、検知部３１に接触した動物Ｂにより垂直板部４６ａが受ける圧力を、メッシュシート５２がない場合に比して垂直板部４６ａの前面にてより広い範囲に伝搬させ拡散させるための部材である。
【００８１】
このメッシュシート５２は可撓性を有するシート状の圧力拡散体としての機能を有するものであり、ゴムやウレタンなど伸縮性や可撓性を備える素材にて形成されたシート、特に本実施形態ではメッシュシートとしている。
【００８２】
換言すれば、圧力拡散体（例えば、メッシュシート５２）は、検知板４６の垂直板部４６ａの略全面を覆うことのできるシート状であって、伸縮性や可撓性を備える素材により形成されたものであり、更にフレーム体５１への取付け状態は、尻尾等の接触（以下、軽接触ともいう。）のみでは全く又は検知片検出センサ４８にて歩行不足状態とはされない程度にしか検知板４６が傾かず、歩行不足状態により足や胴体が接触した場合には検知片検出センサ４８にて歩行不足状態とされる程度に検知板４６が傾く程度の張力を付与した状態（ピンと張った状態）で左右の垂下部５１ａ,５１ａ間に設置される。
【００８３】
次に、動物用運動装置Ａの電気的構成について説明する。図８は本実施形態に係る動物用運動装置Ａの電気的構成を示したブロック図である。
【００８４】
前方配置空間５５内に収容されている制御部５６は、その構成としてＣＰＵ７１、ＲＯＭ７２、ＲＡＭ７３等を備えており、動物用運動装置Ａの稼動に必要なプログラムを実行可能としている。
【００８５】
具体的には、ＲＯＭ７２はＣＰＵ７１の処理において必要なプログラム等が格納されており、ＲＡＭ７３はそのプログラム等の実行に際し一時的な記憶領域として機能する。
【００８６】
また、制御部５６には、検知片検出センサ４８やタッチパネル５８、起動ボタン５９、緊急停止ボタン６０、電動モータ６３等が接続されており、制御部５６におけるプログラムの実行状況に応じて参照したり、制御駆動するよう構成している。
【００８７】
例えば、検知片検出センサ４８は、同検知片検出センサ４８による検知片４６ｄの検知状況を、ＲＡＭ７３の所定アドレスに随時書き込む。ＣＰＵ７１は、このＲＡＭ７３の所定アドレスを参照することにより、検知片検出センサ４８が検知片４６ｄを検出しているか否か、すなわち、検出中であって垂直板部４６ａは垂下状態であるか、それとも検出できておらず垂直板部４６ａは傾斜状態であるかについて判断が可能となる。この検知片検出センサ４８は、制御部５６と共に検知板が傾斜したことを検出する傾斜状態検出手段の構成要素であり、また、検知機構の構成要素でもある。
【００８８】
検知片検出センサ４８は、横断軸４５を中心とする検知板４６の揺動によって移動した検知片４６ｄとの相互作用の変化に基づいて検知板４６が傾斜したことを検知する。先述の如く本実施形態において検知片検出センサ４８は金属検知センサを採用し、導体である金属製の検知板４６の表面に発生する渦電流による磁気損失の検出を相互作用の一例として採用しているが、静電容量や磁気など、他の相互作用に基づいて検出させるようにしても良い。
【００８９】
タッチパネル５８は、入力手段であって、且つ、表示手段としても機能するものであり、使用者がタッチパネル５８に触れることで入力された情報は、ＲＡＭ７３の所定のアドレスなどに記憶される。また、タッチパネル５８にはＣＰＵ７１の制御により、歩行運動部３０の稼働状況や稼働時間など所定の情報表示が行われる。
【００９０】
起動ボタン５９や緊急停止ボタン６０は、使用者により押下された際に、ＲＡＭ７３の所定アドレスにその旨が随時書き込まれる。
【００９１】
電動モータ６３は、制御部５６より送出される駆動信号に応じた速さで稼動する電動のモータである。
【００９２】
次に、制御部５６において実行されるメイン処理について図９を参照しながら説明する。なお、動物用運動装置Ａではこのメイン処理以外にも様々な機能を実現するために種々の副次的な処理が行われるが、ここでその説明は割愛する。
【００９３】
図９に示すように、メイン処理においてＣＰＵ７１は、起動ボタン５９が押下されたか否かについて確認を行う（ステップＳ１１）。ここで、起動ボタン５９が押下されていないと判断した場合（ステップＳ１１：Ｎｏ）には、ＣＰＵ７１は処理を再びステップＳ１１へ移す。一方、起動ボタン５９が押下されたと判断した場合（ステップＳ１１：Ｙｅｓ）には、ＣＰＵ７１は処理をステップＳ１２へ移す。
【００９４】
ステップＳ１２においてＣＰＵ７１は、ＲＡＭ７３の所定アドレスに記憶されているタッチパネル５８を介したユーザの入力値、すなわち、ユーザが入力したタイムスケジュールを参照し、起動ボタン５９の押下時から経過した時間に応じたモータ駆動値をＲＡＭ７３の所定アドレスに設定する。例えば使用者が、スタートから２分までは「コンベア速度が0km/h→3km/hとなるように電動モータ６３を漸次増速」、２分から５分までが「コンベア速度を3km/hで保持」、５分から１０分までが「コンベア速度が3km/h→4km/hとなるように電動モータ６３を漸次増速」というタイムスケジュールを入力している場合において、起動ボタン５９の押下後の経過時間が３分であれば、ＣＰＵ７１は、コンベア速度が3km/hとなるよう電動モータ６３を駆動させる値（モータ駆動値）をＲＡＭ７３の所定アドレスに書き込み、経過時間が７分であれば、3km/hと4km/hとの間の所定速度となるよう電動モータ６３のモータ駆動値をＲＡＭ７３の所定アドレスに書き込む。本ステップＳ１２を終えたＣＰＵ７１は、処理をステップＳ１３へ移す。
【００９５】
ステップＳ１３においてＣＰＵ７１は、ＲＡＭ７３の所定アドレスに記憶されているモータ駆動値を参照し、当該モータ駆動値に応じた速度で電動モータ６３を駆動させる。本ステップＳ１３を終えたＣＰＵ７１は、処理をステップＳ１４へ移す。
【００９６】
ステップＳ１４においてＣＰＵ７１は、動物Ｂの運動を終了すべき時間が訪れたか否か、例えば、使用者が入力したタイムスケジュールを最後まで実行したか否かについて判断を行う。ここで、運動を終了すべき時間になったと判断した場合（ステップＳ１４：Ｙｅｓ）には、ＣＰＵ７１は徐々に電動モータ６３の回転数を落とし、歩行運動部３０を停止させる緩停止処理を実行し（ステップＳ１５）、歩行運動部３０が停止した後に処理を終える。一方、運動を終了すべき時間ではないと判断した場合（ステップＳ１４：Ｎｏ）には、ＣＰＵ７１は処理をステップＳ１６へ移す。
【００９７】
ステップＳ１６においてＣＰＵ７１は、緊急停止ボタン６０が押下されたか、又は、検知板４６が傾斜したかについて判断を行う。ここで、緊急停止ボタン６０は押下されておらず、且つ、検知板４６も傾斜していない判断した場合（ステップＳ１６：Ｎｏ）には、ＣＰＵ７１は処理をステップＳ１２へ移す。一方、緊急停止ボタン６０が押下された、又は、検知板４６が傾斜したと判断した場合（ステップＳ１６：Ｙｅｓ）には、ＣＰＵ７１は処理をステップＳ１７へ移す。なお、本ステップＳ１６において検知板４６が傾斜したか否かの判断を実行する制御部５６は、先述の検知片検出センサ４８と共に、検知板が傾斜したことを検出する傾斜状態検出手段として機能する。
【００９８】
ステップＳ１７においてＣＰＵ７１は、速やかに電動モータ６３の回転数を落とし、歩行運動部３０を停止させる急停止処理を実行し（ステップＳ１７）、歩行運動部３０が停止した後に処理を終える。なお、ステップＳ１６において検知板４６が傾斜したと判断し（ステップＳ１６：Ｙｅｓ）、ステップＳ１７が実行されることで、制御部５６は、搬送されつつある動物が検知された場合にコンベアベルトの動きを停止させる制御部として機能する。
【００９９】
次に、上述してきた構成を備える動物用運動装置Ａの、動物Ｂの歩行状態に応じた動作について説明する。
【０１００】
図１０は、動物収容空間１１内において動物Ｂが歩行運動を行っている状態を示しており、動物Ｂは歩行不足状態ではないが、走っている状態であるため尻尾が激しく動いている状況である。なお、説明の便宜上、検知部３１は検知板４６とフレーム体５１とメッシュシート５２のみを示しており、その他構成については省略している。
【０１０１】
図１０（ａ）に示すように、検知部３１に圧力拡散機構４７が備えられていない動物用運動装置の場合、動物Ｂの尻尾Ｂｔが検知板４６に直接に接触することとなるため、白抜きの矢印で示すように尻尾Ｂｔからの押圧力が一点に集中し、検知板４６は容易に角度αで大きく傾くこととなる。従って、制御部５６は動物Ｂが歩行不足状態でないにも拘わらず急停止処理を行うこととなり、尻尾による誤動作が発生してしまう。
【０１０２】
一方、図１０（ｂ）に示すように、検知部３１に圧力拡散機構４７が備えられている場合、尻尾Ｂｔからの押圧力は圧力拡散体としてのメッシュシート５２を介することで複数の白抜きの矢印で示すように分散（拡散）し、検知板４６へ伝えられることとなる。従って、検知板４６は角度αよりも小さな角度βで傾き、制御部５６は急停止処理を行うことがないため、尻尾による誤動作は発生しない。
【０１０３】
このように、本実施形態に係る動物用運動装置Ａによれば、比較的簡潔な構成でありながら、尻尾による誤動作を防止することができる。
【０１０４】
また、本実施形態に係る動物用運動装置Ａでは、歩行運動部３０（コンベアベルト３３）によって搬送されつつある動物Ｂを、その体の大小にできるだけ影響されることなく堅実に検知することも可能である。
【０１０５】
すなわち、図１１（ａ）に示すように、例えば中型犬程度の大きさの動物Ｂ１の場合、歩行不足状態となって歩行運動部３０により後方への搬送が行われると、高さＨ１で圧力拡散機構４７と当接する。そして、コンベアベルト３３の搬送の速さと動物Ｂの体重に応じた運動量で検知板４６を動かすこととなる。
【０１０６】
これに対し、図１１（ｂ）に示すように例えば小型犬など小さな動物Ｂ２の場合、同様に歩行不足状態となって後方への搬送が行われると、動物Ｂ２は前述の動物Ｂ１よりも体重が軽いため、検知板４６を動かすための運動量の付与という観点からは状況的に不利であるといえる。
【０１０７】
しかしながら、本実施形態に係る動物用運動装置Ａでは、検知部３１において検知板４６を横断軸４５を中心として揺動自在に垂下させた状態で配設していることから、小さな動物Ｂ２は体重が軽くとも検知板４６に当接するポイントが高さＨ２と低く、てこの働きが生じるため検知板４６を容易に傾動させることが可能となる。
【０１０８】
すなわち、当接ポイントが低い動物、多くの場合は小さく体重の少ない動物であり、例えばメッシュシート５２により検知板４６を動かすための運動量の付与面積が分散された場合であっても、確実に検知板４６を動かして傾かせることができ、搬送されつつある動物Ｂを、その体の大小にできるだけ影響されることなく堅実に検知することができる。
【０１０９】
上述してきたように、本実施形態に係る動物用運動装置Ａによれば、搬送方向と逆行する向きに載置された動物の歩行と同調する相殺搬送速度でコンベアベルトを駆動させて相対的に略静止した位置関係で前記動物に歩行運動を行わせる歩行運動部と、前記動物の歩行不足により前記コンベアベルト上で搬送されつつある動物を検知する、前記コンベアベルトの搬送下流側端部に配置された検知機構と、同検知機構により搬送されつつある動物が検知された場合、コンベアベルトの動きを停止させる制御部とを備え、前記検知機構は、前記動物の体高よりも高い位置でコンベアベルトの横断方向に架け渡された横断軸と、前記搬送されつつある動物との接触により前記横断軸を中心に傾斜するよう揺動可能に垂設した検知板と、同検知板が傾斜したことを検出する傾斜状態検出手段と、を有するとと共に、前記検知板の前記搬送されつつある動物より圧力を受ける側の面の前方には、同受圧面の略全面に対向させて張設した可撓性を有するシート状の圧力拡散体が配されていることとしたため、比較的簡潔な構成でありながら、尻尾による誤動作を防止することができ、コンベアによって搬送されつつある動物を堅実に検知することのできる動物用運動装置を提供することができる。
【０１１０】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１１１】
３０  歩行運動部
３１  検知部
３３  コンベアベルト
４５  横断軸
４６  検知板
４６ａ  垂直板部
４６ｂ  水平板部
４６ｄ  検知片
４７  圧力拡散機構
４８  検知片検出センサ
５２  メッシュシート
５６  制御部
Ａ  動物用運動装置
Ｂ  動物
【図１】
2020195350.tif 000003
【図２】
2020195350.tif 000004
【図３】
2020195350.tif 000005
【図４】
2020195350.tif 000006
【図５】
2020195350.tif 000007
【図６】
2020195350.tif 000008
【図７】
2020195350.tif 000009
【図８】
2020195350.tif 000010
【図９】
2020195350.tif 000011
【図１０】
2020195350.tif 000012
【図１１】
2020195350.tif 000013